(57)【特許請求の範囲】
【請求項１】
前後方向に回動可能な前板によって開放可能な収納凹部と、該収納凹部内に固着された保持具に軸支されて上方に開口する開口部を有する収納容器と、を備え、前記前板の開閉に応じて前記収納容器が前後方向に回動するキッチンキャビネットであって、
前記収納容器は、前記保持具から着脱可能となっているとともに、その形状が前後対称に形成されており、前記収納容器の左右側部には、係止部が突設されるとともに、前後一対の回動軸部が、前記収納容器の左右側部における前後対称位置に配置され、少なくとも前記収納容器の前後方向の重心位置よりも後方位置に後方側の回動軸部が突設されており、前記保持具には、前記回動軸部を軸支する軸受部と、前記収納容器の前方回動終了時に前記係止部を係止する回動規制部が設けられていることを特徴とするキッチンキャビネット。
【請求項２】
前記収納容器は、前記保持具から着脱可能となっているとともに、前記保持具には、前記収納容器の前方回動終了時に、該収納容器が前記保持具から離脱することを防止する離脱防止部が設けられていることを特徴とする請求項１に記載のキッチンキャビネット。
【請求項３】
前記回動軸部と前記係止部とが、一体的に形成されていることを特徴とする請求項１または２に記載のキッチンキャビネット。
【請求項４】
前記軸受部と前記回動規制部とが、一体的に形成されていることを特徴とする請求項１ないし３のいずれかに記載のキッチンキャビネット。
【請求項５】
前記収納容器は、包丁の柄が略水平となるように包丁を保持する包丁収納ホルダーであることを特徴とする請求項１ないし４のいずれかに記載のキッチンキャビネット。
【請求項６】
複数の前記収納容器が、前記収納凹部内にて上下方向に連設されており、下方の収納容器の回動角度が上方の収納容器の回動角度よりも大きくなっていることを特徴とする請求項１ないし５のいずれかに記載のキッチンキャビネット。
【発明の詳細な説明】
【技術分野】
【０００１】
本発明は、前板によって開放可能な収納凹部内に配置された収納容器を、前板の開閉に応じて前後方向に回動させるキッチンキャビネットに関する。
【背景技術】
【０００２】
従来のキッチンキャビネットは、キャビネット本体の上部において、シンクの前面壁からキャビネット本体の前面にかけて開口する空所（収納凹部）が形成されており、この空所内に前方に開口する収納用ハウジングと、この収納用ハウジングの前方開口を開閉する蓋体（前板）を収納用ハウジングの下端に前後回動自在に枢支し、収納用ハウジングの下部から上向きに突出した軸部（回動軸部）により、上方に開口する収納容器の前後方向の略中央部分の底部から下方に突設された軸受部を軸支させている。蓋体の閉止時には、収納容器は蓋体の後面と収納用ハウジングの前面とで挟持されるようになっている。また、蓋体の開放時には、収納容器は前方に回動して底部の前端下面が収納用ハウジングの底面壁の前縁上面に載置された状態で前方に傾斜するようにしている（例えば、特許文献１参照）。
【０００３】
【特許文献１】特開２００６−３３４２４９号公報（第５頁、第１図）
【発明の開示】
【発明が解決しようとする課題】
【０００４】
しかしながら、特許文献１に記載のキッチンキャビネットにあっては、収納用ハウジングの下部から上向きに突出した軸部（回動軸部）を、収納容器の前後方向の略中央部分の底部から下方に突設された軸受部に軸支させているので、蓋体（前板）の閉止時には、収納容器の前後方向の重さのバランスがとれているため、蓋体を開放させた場合にスムーズに収納容器が前方に回動しない虞があるばかりか、収納物の収納の仕方によっては、収納物を含めた収納容器の重心位置が後方側に片寄る場合があり、蓋体を開放しても収納容器が前方に回動しなくなる虞がある。また、収納容器の底部の形状及び収納用ハウジングの底面壁の形状を利用して収納容器の傾斜角度を設定しているため、キッチンキャビネットの製造時などに収納容器の傾斜角度の設計変更ができないという問題がある。
【０００５】
本発明は、このような問題点に着目してなされたもので、キッチンキャビネットの前板の開放と同時にスムーズに前方に回動する収納容器を構成し、かつ収納容器内の収納物を取り出し易い傾斜角度に収納容器を維持させることができるキッチンキャビネットを提供することを目的とする。
【課題を解決するための手段】
【０００６】
前記課題を解決するために、本発明の請求項１に記載のキッチンキャビネットは、前後方向に回動可能な前板によって開放可能な収納凹部と、該収納凹部内に固着された保持具に軸支されて上方に開口する開口部を有する収納容器と、を備え、前記前板の開閉に応じて前記収納容器が前後方向に回動するキッチンキャビネットであって、
前記収納容器は、前記保持具から着脱可能となっているとともに、その形状が前後対称に形成されており、前記収納容器の左右側部には、係止部が突設されるとともに、前後一対の回動軸部が、前記収納容器の左右側部における前後対称位置に配置され、少なくとも前記収納容器の前後方向の重心位置よりも後方位置に後方側の回動軸部が突設されており、前記保持具には、前記回動軸部を軸支する軸受部と、前記収納容器の前方回動終了時に前記係止部を係止する回動規制部が設けられていることを特徴としている。
この特徴によれば、後方側の回動軸部が収納容器の前後方向の重心位置よりも後方位置に突設されているので、前板を開放した際に収納容器が前方に回動し易くなっており、前板の開放と同時に収納容器を前方にスムーズに回動できるばかりか、予め収納容器の係止部の配置位置、或いは保持具の回動規制部の配置位置を適宜設定しておくことで、収納容器の前方回動終了時に収納容器の係止部を保持具の回動規制部に係止させて、収納容器内の収納物を取り出し易い傾斜角度に収納容器を維持させることができる。また収納容器を保持具から着脱して収納容器の前後を逆に取り付けて使用することができ、右利きまたは左利きのいずれの使用者であっても、収納容器の取付状態を適宜変更して使用することができる。
【０００８】
本発明の請求項２に記載のキッチンキャビネットは、請求項１に記載のキッチンキャビネットであって、
前記収納容器は、前記保持具から着脱可能となっているとともに、前記保持具には、前記収納容器の前方回動終了時に、該収納容器が前記保持具から離脱することを防止する離脱防止部が設けられていることを特徴としている。
この特徴によれば、収納容器内の収納物の取り出し時に、収納容器が保持具から離脱することを防止できる。
【０００９】
本発明の請求項３に記載のキッチンキャビネットは、請求項１または２に記載のキッチンキャビネットであって、
前記回動軸部と前記係止部とが、一体的に形成されていることを特徴としている。
この特徴によれば、回動軸部と係止部の強度を高められるとともに、回動軸部と係止部とを収納容器に形成することが容易になる。
【００１０】
本発明の請求項４に記載のキッチンキャビネットは、請求項１ないし３のいずれかに記載のキッチンキャビネットであって、
前記軸受部と前記回動規制部とが、一体的に形成されていることを特徴としている。
この特徴によれば、軸受部と回動規制部の強度を高められるとともに、軸受部と回動規制部とを保持具に形成することが容易になる。
【００１１】
本発明の請求項５に記載のキッチンキャビネットは、請求項１ないし４のいずれかに記載のキッチンキャビネットであって、
前記収納容器は、包丁の柄が略水平となるように包丁を保持する包丁収納ホルダーであることを特徴としている。
この特徴によれば、包丁収納ホルダーに柄が略水平となって保持されるので、包丁を取り出しやすくすることができる。特に、請求項２を引用した発明においては、右利きまたは左利きのいずれの使用者であっても、包丁収納ホルダーの取付状態を適宜変更して包丁を取り出し易くすることができる。
【００１２】
本発明の請求項６に記載のキッチンキャビネットは、請求項１ないし５のいずれかに記載のキッチンキャビネットであって、
複数の前記収納容器が、前記収納凹部内にて上下方向に連設されており、下方の収納容器の回動角度が上方の収納容器の回動角度よりも大きくなっていることを特徴としている。
この特徴によれば、収納凹部内での収納容器数が増加されるため、収納凹部内での収納物の収納量が増加するとともに、下方の収納容器が上方の収納容器よりも前方に傾斜されるので、下方の収納容器内の収納物を取り出し易くすることができる。
【発明を実施するための最良の形態】
【００１３】
本発明に係るキッチンキャビネットを実施するための最良の形態を実施例に基づいて以下に説明する。
【実施例１】
【００１４】
本発明の実施例を図面に基づいて説明すると、先ず図１は、実施例１におけるキッチンキャビネットを示す斜視図であり、図２は、前板を開放した状態のキッチンキャビネットの内部を示す縦断側面図であり、図３は、包丁収納ホルダーを示す平面図であり、図４は、図３における包丁収納ホルダーを示すＡ−Ａ断面図であり、図５は、包丁収納ホルダーを示す側面図であり、図６は、保持具を示す側面図である。以下、図２、図５、図６の紙面左側を収納容器を備えたキッチンキャビネットの正面側とし、図３の紙面下方側を収納容器を備えたキッチンキャビネットの正面側（前方側）とし、図４の紙面手前側をキッチンキャビネットの正面側（前方側）として説明する。
【００１５】
図１の符号１は、本発明が適用されたキッチンキャビネット１である。このキッチンキャビネット１について説明すると、キッチンキャビネット１の上部には、使用者が食器等を洗うのに使用するシンク部２が設けられており、シンク部２の隣には、キッチンキャビネット１上での作業スペース３が設けられている。
【００１６】
また、キッチンキャビネット１の正面側には、本実施例における収納物としての包丁４を収納する包丁収納部５が設けられている。更に、包丁収納部５の下方には、キッチンキャビネット１内部の空間内に前後方向に移動自在に配置されて食器や食材等を収納する引出し６が設けられている。これら包丁収納部５と引出し６は、キッチンキャビネット１の正面側で左右方向に連設されている。
【００１７】
本実施例では、キッチンキャビネット１の右側とは、使用者がキッチンキャビネット１の正面に立って右側のことであり、キッチンキャビネット１の左側とは、使用者がキッチンキャビネット１の正面に立って左側のこととして以下に説明する。
【００１８】
これら包丁収納部５と引出し６のうち、包丁収納部５について説明する。図１及び図２に示すように、キッチンキャビネット１の正面側には、縦断側面視でコ字形状に形成されてその内方側が収納スペース８となっている収納凹部７が形成されている。この収納凹部７には、３つ（複数）の保持具９が左右方向に離間された状態で配置されている。
【００１９】
これら保持具９間には、本実施例における収納容器としての４個（複数）の包丁収納ホルダー１０が着脱自在に保持されている。尚、本実施例では、１つの収納スペース８内に全ての４個（複数）の包丁収納ホルダー１０が上下二段及び左右二列となって設けられている（図４参照）。
【００２０】
後述するように、包丁収納ホルダー１０は、包丁収納ホルダー１０の側部から突出する回動軸部２９によって保持具９に対して軸支される（図５参照）。また、全ての包丁収納ホルダー１０は、包丁４をその柄４ｂが右向きとなるように保持している（図４参照）。
【００２１】
図２に示すように、収納スペース８は、正面側をキッチンキャビネット１の化粧板である前板１１によって隠蔽されるようになっている。これら収納スペース８における収納凹部７の左右位置には、前板１１の裏面と連結される左右２つの蝶番１２と、前板１１の全開位置を規定する折曲自在アーム１３が設けられている。使用者は、前板１１の上部に設けられた把手１４を把持して操作することで、前板１１が収納凹部７に対して前後方向に回動して、収納スペース８を開閉できるようになっている。
【００２２】
より詳しくは、使用者によって前板１１が開閉されると、この前板１１の開閉に応じて、収納スペース８内の保持具９に軸支されている包丁収納ホルダー１０が前後に回動する。図２に示すように、前板１１の開放持には、上段の包丁収納ホルダー１０は鉛直方向に対して所定回動角度θ１で前方に向かって回動するようになっている。また、下段の包丁収納ホルダー１０は鉛直方向に対して所定回動角度θ２で前方に向かって回動するようになっている。
【００２３】
包丁収納ホルダー１０の回動角度θ１と回動角度θ２は、回動角度θ２の方が大きく設定されている。つまり、前板１１が開放された状態では、下段の包丁収納ホルダー１０の方が保持具９に対して上段の包丁収納ホルダー１０よりも前方に傾斜されている。
【００２４】
尚、本実施例では、上段の包丁収納ホルダー１０の回動角度θ１を４５度となっているとともに、下段の包丁収納ホルダー１０の回動角度θ２を６０度となっている。尚、回動角度θ１と回動角度θ２は９０度よりも小さければ何度でもよい。
【００２５】
また、包丁収納ホルダー１０を収納スペース８内に収納する際には、使用者が前板１１を後方に回動させて前板１１を閉じる。このとき、前板１１の裏面側が包丁収納ホルダー１０の前面側に当接するので、包丁収納ホルダー１０は前板１１よって後方側に回動するように押され、前板１１が閉止されると包丁収納ホルダー１０は収納スペース８内に略垂直状態になって収納される。
【００２６】
これら包丁収納ホルダー１０について説明すると、図３、図４、図５に示すように、包丁収納ホルダー１０は、ポリプロピレン等の合成樹脂の材質による一体成型により形成されている。また、包丁収納ホルダー１０は、包丁４の刃部４ａを収納保持する略矩形状の収納部１５と、収納部１５の側方に延在する台座部１６とにより構成されている。尚、台座部１６は、包丁４の柄４ｂを支持できるように水平方向に延設されている。
【００２７】
更に、包丁収納ホルダー１０は、側面視において前後対称形状になるように形成されている（図５参照）。また、包丁収納ホルダー１０の右側部１７及び左側部１８には、収納スペース８内に配置された保持具９に軸支される軸部１９が突設されている。
【００２８】
更に、包丁収納ホルダー１０の収納部１５には、本実施例における開口部としてのＵ字溝２０が形成されている。このＵ字溝２０は収納部１５の左端側から台座部１６の一部にかけて形成されている。このＵ字溝２０は、前後に配置される板部２１の間に形成されている。尚、両板部２１同士は底部２２により互いに連結されている。
【００２９】
また、前後の板部２１には、下方に向けてＵ字溝２０が幅狭になるように傾斜されたテーパー面２４を有する挟持部２３が形成されている。この挟持部２３は、包丁収納ホルダー１０の左右２箇所に設けられており、包丁収納ホルダー１０に収納された包丁４の刃部４ａを挟持するようになっている（図４参照）。
【００３０】
更に、収納部１５の底部２２から前後の板部２１に渡って上方に延びる複数のスリット２５が形成されており、このスリット２５は挟持部２３の左右に形成されている。また、挟持部２３の底部には、切り欠き開口溝２６が形成されており、この切り欠き開口溝２６は隣接するスリット２５と連続するように形成されている。スリット２５と開口溝２６とが形成されていることによって、包丁４の刃部４ａによって挟持部２３が押し広げられるようになり、挟持部２３が有する弾性力により刃部４ａを挟持することができる。
【００３１】
図４に示すように、台座部１６の右側部１７側には、上方に凸設された凸状部２７が形成されており、その上面には、包丁４の柄４ｂが載置される凹溝２８が設けられている。包丁４は刃部４ａを収納部１５のＵ字溝２０内の挟持部２３で挟持され、柄４ｂを台座部１６の凹溝２８で保持される。
【００３２】
次に、包丁収納ホルダー１０の右側部１７及び左側部１８の軸部１９及び収納凹部７に固着された保持具９について説明する。尚、軸部１９及び保持具９は左右で同一構成となっているので、軸部１９は包丁収納ホルダー１０の右側部１７側を用いて説明し、保持具９は包丁収納ホルダー１０を左側で軸支する保持具９を用いて説明する。
【００３３】
図５に示すように、包丁収納ホルダー１０の軸部１９は、側面視で略逆Ｙ字形状をなす前後対称形状に形成されている。包丁収納ホルダー１０は側面視で略矩形状をなす前後に対称な形状に形成されている。尚、包丁収納ホルダー１０の前後方向の重心位置は、前後対称をなす包丁収納ホルダー１０の前後対称線Ｓ（中心線）上に配置されている。
【００３４】
包丁収納ホルダー１０の軸部１９の下端部には、前後一対をなす２つの回動軸部２９が形成されており、この回動軸部２９は、包丁収納ホルダー１０の前後対称線Ｓを介して前後対称位置に配置されている。後方側の回動軸部２９は、後述する保持具９の軸受部３４に軸支され、包丁収納ホルダー１０の回動の軸心となる。
【００３５】
また、包丁収納ホルダー１０の軸部１９の上端部には、後述するように、包丁収納ホルダー１０の前方回動終了時に、保持具９の回動規制部３６に係止される係止部３０が形成されている。この係止部３０は包丁収納ホルダー１０の側面視における前後対称線Ｓ上に配置されている。
【００３６】
尚、これら両回動軸部２９と係止部３０とは一体的に形成されており、そのため回動軸部２９と係止部３０の強度を高められるとともに、回動軸部２９と係止部３０とを包丁収納ホルダー１０に形成することが容易になる。
【００３７】
図６に示すように、保持具９は、収納凹部７に固着される後板３１と、この後板３１から正面側に突設される上下２つの垂直板３２とから構成されている。尚、後板３１の背面には、鉤状の係止爪３３が形成されている。保持具９を収納凹部７に取り付ける際には、後板３１の背面側に接着剤等を塗布した後に、係止爪３３を収納凹部７に形成された係止孔（図示略）に係止させることで、保持具９を収納凹部７に固着するようになっている（図２参照）。
【００３８】
また、図５及び図６に示すように、保持具９の垂直板３２には、包丁収納ホルダー１０の後方側の回動軸部２９を軸支する軸受部３４が形成されている。この軸受部３４内で後方側の回動軸部２９が軸支されることで、包丁収納ホルダー１０は前後に回動可能となっている。更に、軸受部３４の前方には、包丁収納ホルダー１０の前方回動終了時に、包丁収納ホルダー１０の前方側の回動軸部２９を収納する軸収納部３５が形成されている。
【００３９】
更に、保持具９の垂直板３２における軸収納部３５の前方側には、包丁収納ホルダー１０の係止部３０が係止されることによって、包丁収納ホルダー１０の前方回動を終了させる回動規制部３６が形成されている。
【００４０】
尚、上方の垂直板３２と下方の垂直板３２とで、回動規制部３６の配置位置が異なっており、下方の垂直板３２に軸支される包丁収納ホルダー１０が、上方の垂直板３２に軸支される包丁収納ホルダー１０よりも大きな回動角度θ２（傾斜角度）で傾くようになっている。
【００４１】
また、回動規制部３６の前端部からは、包丁収納ホルダー１０の前方回動終了後に、包丁収納ホルダー１０が保持具９から離脱してしまうことを防止する離脱防止部３７が形成されている。この離脱防止部３７は、回動規制部３６から上方に延設されて形成されている。包丁収納ホルダー１０の係止部３０が離脱防止部３７に当接するとともに、後方側の回動軸部２９が軸受部３４に嵌合されることで、包丁収納ホルダー１０の前後方向及び上方に移動することを防止し、包丁収納ホルダー１０が保持具９から離脱することを防止する。
【００４２】
そのため使用者が包丁４を包丁収納ホルダー１０から取り出す際に、包丁収納ホルダー１０の挟持部２３に刃部４ａが挟持された包丁４につられて包丁収納ホルダー１０が保持具９から離脱しないようになっている。
【００４３】
尚、軸受部３４、軸収納部３５、回動規制部３６、離脱防止部３７は、保持具９の垂直板３２に一体的に形成されている。これら一体に形成された軸受部３４、軸収納部３５、回動規制部３６、離脱防止部３７の上方側には、上方に開放された開放口３８が設けられている。包丁収納ホルダー１０を後方に回動させて係止部３０を離脱防止部３７から離脱させることで、開放口３８を介して包丁収納ホルダー１０の軸部１９を離脱できるようになっており、包丁収納ホルダー１０は保持具９に対して着脱可能となっている。
【００４４】
以上、本実施例におけるキッチンキャビネット１では、回動軸部２９が包丁収納ホルダー１０の前後方向の重心位置よりも後方位置に突設されているので、前板１１を開放した際に包丁収納ホルダー１０が前方に回動し易くなっており、前板１１の開放と同時に包丁収納ホルダー１０を前方にスムーズに回動できるばかりか、予め包丁収納ホルダー１０の係止部３０の配置位置、或いは保持具９の回動規制部３６の配置位置を適宜設定しておくことで、包丁収納ホルダー１０の前方回動終了時に包丁収納ホルダー１０の係止部３０を保持具９の回動規制部３６に係止させて、包丁収納ホルダー１０内の包丁４を取り出し易い傾斜角度に包丁収納ホルダー１０を維持させることができる。
【００４５】
尚、包丁収納ホルダー１０の回動角度θを変更する際には、保持具９の設計を変更するだけでよく、キッチンキャビネット１の製造時などに包丁収納ホルダー１０の傾斜角度θの設計変更が容易にできるようになる。更に尚、本実施例では、保持具９の後板３１の背面側に接着剤を塗布することで、保持具９を収納凹部７に固着していたが、保持具９の後板３１の背面側に接着剤を塗布せずに、保持具９を収納凹部７に対して着脱自在に取り付けるようにしてもよい。
【００４６】
また、包丁収納ホルダー１０の右側部１７及び左側部１８において、回動係止部３０を前後対称に配置し、係止部３０を前後対称線Ｓ上に配置することで、包丁収納ホルダー１０を保持具９から着脱して包丁収納ホルダー１０の前後を逆に取り付けて使用することができ、右利きまたは左利きのいずれの使用者であっても、包丁収納ホルダー１０の取付状態を適宜変更して使用することができる。
【００４７】
また、包丁収納ホルダー１０は、保持具９から着脱可能となっているとともに、保持具９には、包丁収納ホルダー１０の前方回動終了時に、包丁収納ホルダー１０が保持具９から離脱することを防止する離脱防止部３７が設けられているので、包丁収納ホルダー１０内の包丁４の取り出し時に、包丁収納ホルダー１０が保持具９から離脱することを防止できる。
【００４８】
また、回動軸部２９と係止部３０とが、一体的に形成されているので、回動軸部２９と係止部３０の強度を高められるとともに、回動軸部２９と係止部３０とを包丁収納ホルダー１０に形成することが容易になる。
【００４９】
また、軸受部３４と回動規制部３６とが、一体的に形成されているので、軸受部３４と回動規制部３６の強度を高められるとともに、軸受部３４と回動規制部３６とを保持具９に形成することが容易になる。
【００５０】
また、包丁収納ホルダー１０は、包丁４の柄４ｂが略水平となるように包丁４を保持する包丁収納ホルダー１０であるで、包丁４を取り出しやすくすることができる。特に、右利きまたは左利きのいずれの使用者であっても、包丁収納ホルダー１０の取付状態を適宜変更して包丁４を取り出し易くすることができる。
【００５１】
また、複数の包丁収納ホルダー１０が、収納凹部７内にて上下方向に連設されており、下方の包丁収納ホルダー１０の回動角度が上方の包丁収納ホルダー１０の回動角度よりも大きくなっているので、収納凹部７内での包丁収納ホルダー１０が増加されるため、収納凹部７内での包丁４の収納量が増加するとともに、下方の包丁収納ホルダー１０が上方の包丁収納ホルダー１０よりも前方に傾斜されるので、下方の包丁収納ホルダー１０内の包丁４を取り出し易くすることができる。
【実施例２】
【００５２】
次に、実施例２に係るキッチンキャビネットにつき、図７を参照して説明する。尚、前記実施例に示される構成部分と同一構成部分に付いては同一符号を付して重複する説明を省略する。図７は、実施例２における前板を開放した状態のキッチンキャビネットの内部を示す縦断側面図である。以下、図７の紙面左側をキッチンキャビネットの正面側（前方側）として説明する。
【００５３】
図７に示すように、実施例２における包丁収納ホルダー１０ａの側部１７ａには、側面視で略円形状をなる２つの回動軸部２９ａと１つの係止部３０ａが形成されている。これら回動軸部２９ａと係止部３０ａは実施例１とは異なりそれぞれ離間されて配置されている。尚、２つの回動軸部２９ａは前後対称線Ｓを介して前後対称位置に配置されており、係止部３０ａは前後対称線Ｓ上に配置されている。
【００５４】
また、保持具９は実施例１と同様の構成となっており、包丁収納ホルダー１０ａの後方側の回動軸部２９ａは、保持具９の軸受部３４に軸支されている。前板１１が開閉されると、後方側の回動軸部２９ａは包丁収納ホルダー１０ａの回動の軸心となる。前板１１が開放された際には、包丁収納ホルダー１０ａが前方に回動し、包丁収納ホルダー１０ａの係止部３０ａが、保持具９の回動規制部３６に係止されることで、包丁収納ホルダー１０ａの回動が終了する。そして、包丁収納ホルダー１０ａは所定の回動角度θ１で前方に傾いた状態となり、使用者が包丁収納ホルダー１０ｂから包丁４を取り出しやすくなっている。
【００５５】
尚、保持具９には、包丁収納ホルダー１０ａの前方回動終了時に、包丁収納ホルダー１０ａの係止部３０ａが保持具９の離脱防止部３７に係止されることによって、包丁収納ホルダー１０ａの保持具９からの離脱が防止される。そのため。包丁収納ホルダー１０ａ内の包丁４の取り出し時に、包丁４につられて包丁収納ホルダー１０ａが保持具９から外れることを防止できるので、安全性を確保することができる。
【実施例３】
【００５６】
次に、実施例３に係るキッチンキャビネットにつき、図８を参照して説明する。尚、前記実施例に示される構成部分と同一構成部分に付いては同一符号を付して重複する説明を省略する。図８は、実施例３における前板を開放した状態のキッチンキャビネットの内部を示す縦断側面図である。以下、図８の紙面左側をキッチンキャビネットの正面側（前方側）として説明する。
【００５７】
実施例３におけるキッチンキャビネット１は、図８に示すように、収納スペース８の収納凹部７に固着される保持具９ｂと、この保持具９ｂによって軸支される包丁収納ホルダー１０ｂを有している。包丁収納ホルダー１０ｂの側部１７ｂには、側面視で略棒状となる２つの軸部１９ｂが前後に離間されて形成されている。これらの軸部１９ｂは、互いに平行をなし、前後対称線Ｓを介して前後対称位置に配置されている。
【００５８】
尚、実施例３では、軸部１９ｂの下端が回動軸部２９ｂとなっており、軸部１９ｂの上端及び前面側が係止部３０ｂとなっている。
【００５９】
保持具９ｂの後板３１ｂには、正面側に２つ上下で垂直板３２ｂが形成されている。この垂直板３２ｂの包丁収納ホルダー１０ｂと対向する面には、包丁収納ホルダー１０ｂの後方側の軸部１９ｂを保持する軸保持部３９が形成されている。
【００６０】
この軸保持部３９は、側面視で略コ字形状に形成されている。尚、実施例３では、軸保持部３９の下端が軸受部３４ｂとなっており、軸保持部３９の上端が離脱防止部３７ｂとなっており、軸保持部３９の下端と上端の間が回動規制部３６ｂとなっている。
【００６１】
軸保持部３９における回動規制部３６ｂは、所定角度で傾斜されており、この回動規制部３６ｂの傾斜によって包丁収納ホルダー１０ｂが所定の回動角度θ１で傾くようになっている。尚、実施例３では、上段と下段の包丁収納ホルダー１０ｂが同一の回動角度θ１で前方に傾くようになっている。
【００６２】
また、包丁収納ホルダー１０ｂが前方回動する際には、軸部１９ｂにおける回動軸部２９ｂを回動の軸心として、包丁収納ホルダー１０ｂが前方に回動する。そして、包丁収納ホルダー１０ｂが所定の回動角度θ１で前方に回動して、軸部１９ｂの係止部３０ｂが保持具９の回動規制部３６ｂに係止される。包丁収納ホルダー１０ｂが所定の回動角度θ１で前方に傾いているので、使用者が包丁収納ホルダー１０ｂから包丁４を取り出しやすくなっている。
【００６３】
尚、保持具９ｂには、包丁収納ホルダー１０ｂの前方回動終了時に、包丁収納ホルダー１０ｂの係止部３０ｂが保持具９ｂの離脱防止部３７ｂに係止されることによって、包丁収納ホルダー１０ｂの保持具９ｂからの離脱が防止される。そのため。包丁収納ホルダー１０ｂ内の包丁４の取り出し時に、包丁４につられて包丁収納ホルダー１０ｂが保持具９ｂから外れることを防止できるので、安全性を確保することができる。
【００６４】
以上、本発明の実施例を図面により説明してきたが、具体的な構成はこれら実施例に限られるものではなく、本発明の要旨を逸脱しない範囲における変更や追加があっても本発明に含まれる。
【００６５】
例えば、前記実施例１では、保持具９の垂直板３２に軸受部３４と軸収納部３５と回動規制部３６と離脱防止部３７が、一体的に形成されていたが、それぞれが垂直板３２において別個に離間された状態で配置されていてもよい。
【００６６】
また、前記実施例では、収納容器を包丁収納ホルダー１０として説明したが、菜箸やまな板などの調理器具、ナイフやフォークなどの食器類を収納する収納容器であってもよい。
【００６７】
また、前記実施例では、収納スペース８内で保持具９によって包丁収納ホルダー１０を上下２段に連設したが、包丁収納ホルダー１０を３段以上の複数段で連設してもよいし、包丁収納ホルダー１０を単体で設けるようにしてもよい。
【００６８】
また、前記実施例では、包丁収納ホルダー１０は側面視において前後対称形状になるように形成されているが、包丁収納ホルダー１０は前後対称形状に形成されていなくともよく、包丁収納ホルダー１０の回動軸部２９が包丁収納ホルダー１０の前後方向の重心位置よりも後方に設けられていればよい。
【００６９】
また、前記実施例では、包丁収納ホルダー１０は保持具９間に着脱自在に保持されているが、包丁収納ホルダー１０は保持具９間に着脱不能に軸支されていてもよい。
【００７０】
また、前記実施例では、包丁収納ホルダー１０の側部に回動軸部２９を設けるとともに、保持具９に軸受部３４を設けることで、包丁収納ホルダー１０の回動の軸心が包丁収納ホルダー１０の前後方向の重心位置よりも後方に位置するようにしたが、包丁収納ホルダー１０に軸受部を設けるとともに、保持具９に回動軸部を設けるようにし、軸受部を包丁収納ホルダー１０の回動の軸心として、この軸心が包丁収納ホルダー１０の前後方向の重心位置よりも後方に位置するようにしてもよい。
【図面の簡単な説明】
【００７１】
【図１】実施例１におけるキッチンキャビネットを示す斜視図である。
【図２】前板を開放した状態のキッチンキャビネットの内部を示す縦断側面図である。
【図３】包丁収納ホルダーを示す平面図である。
【図４】図３における包丁収納ホルダーを示すＡ−Ａ断面図である。
【図５】包丁収納ホルダーを示す側面図である。
【図６】保持具を示す側面図である。
【図７】実施例２における前板を開放した状態のキッチンキャビネットの内部を示す縦断側面図である。
【図８】実施例３における前板を開放した状態のキッチンキャビネットの内部を示す縦断側面図である。
【符号の説明】
【００７２】
１                キッチンキャビネット
４                包丁（収納物）
４ａ              刃部
４ｂ              柄
７                収納凹部
９，９ｂ          保持具
１０，１０ａ      包丁収納ホルダー（収納容器）
１０ｂ            包丁収納ホルダー（収納容器）
１１              前板
１９，１９ｂ      軸部
２０              Ｕ字溝（開口部）
２９，２９ａ      回動軸部
２９ｂ            回動軸部
３０，３０ａ      係止部
３０ｂ            係止部
３１，３１ｂ      後板
３２，３２ｂ      垂直板
３３              係止爪
３４，３４ｂ      軸受部
３５              軸収納部
３６，３６ｂ      回動規制部
３７，３７ｂ      離脱防止部
３８              開放口
Ｓ                前後対称線
【図１】
0004942587.tif 000002
【図２】
0004942587.tif 000003
【図３】
0004942587.tif 000004
【図４】
0004942587.tif 000005
【図５】
0004942587.tif 000006
【図６】
0004942587.tif 000007
【図７】
0004942587.tif 000008
【図８】
0004942587.tif 000009